【手続補正書】
【提出日】平成17年7月4日(2005.7.4)
【手続補正１】
【補正対象書類名】明細書
【補正対象項目名】発明の名称
【補正方法】変更
【補正の内容】
【発明の名称】電子透かし埋め込み装置、電子透かし埋め込み方法、電子透かし抽出装置、電子透かし抽出方法
【手続補正２】
【補正対象書類名】明細書
【補正対象項目名】特許請求の範囲
【補正方法】変更
【補正の内容】
【特許請求の範囲】
【請求項１】
文書画像に対して電子透かしの埋め込みを行う電子透かし埋め込み装置であって、
前記文書画像における各文字の外形を切り出す外形切り出し計算手段と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを、埋め込む電子透かし情報に応じて異ならせるように、夫々の組に含まれる夫々の外形のうち少なくとも１つ以上を制御する制御手段と
を備えることを特徴とする電子透かし埋め込み装置。
【請求項２】
前記第３の行と、前記第４の行は、前記第１の行と前記第２の行の組み合わせであることを特徴とする請求項１に記載の電子透かし埋め込み装置。
【請求項３】
前記制御手段は、前記第１の組、前記第２の組の夫々の組に含まれる夫々の外形のうち少なくとも１つ以上の位置、もしくはサイズのうち少なくとの１つを変更することを特徴とする請求項１に記載の電子透かし埋め込み装置。
【請求項４】
前記第２の外形と前記第４の外形とは同じ位置における外形であることを特徴とする請求項１乃至３の何れか１項に記載の電子透かし埋め込み装置。
【請求項５】
前記第１の外形と前記第２の外形とのセット、前記第３の外形と前記第４の外形とのセットは所定個数分の外形だけ離間していることを特徴とする請求項４に記載の電子透かし埋め込み装置。
【請求項６】
文書画像に対して埋め込まれたデータの抽出を行う電子透かし抽出装置であって、
前記文書画像における各文字の外形を切り出す外形切り出し計算手段と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを比較し、夫々のパラメータの大小関係に応じたデータを、前記第１の組と前記第２の組とに埋め込まれたデータとして抽出する抽出手段と
を備えることを特徴とする電子透かし抽出装置。
【請求項７】
文書画像に対して電子透かしの埋め込みを行う電子透かし埋め込み方法であって、
前記文書画像における各文字の外形を切り出す外形切り出し計算工程と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを、埋め込む電子透かし情報に応じて異ならせるように、夫々の組に含まれる夫々の外形のうち少なくとも１つ以上を制御する制御工程と
を備えることを特徴とする電子透かし埋め込み方法。
【請求項８】
文書画像に対して埋め込まれたデータの抽出を行う電子透かし抽出方法であって、
前記文書画像における各文字の外形を切り出す外形切り出し計算工程と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを比較し、夫々のパラメータの大小関係に応じたデータを、前記第１の組と前記第２の組とに埋め込まれたデータとして抽出する抽出工程と
を備えることを特徴とする電子透かし抽出方法。
【請求項９】
請求項１乃至５の何れか１項に記載の電子透かし埋め込み装置の機能、又は請求項６に記載の電子透かし抽出装置の機能をコンピュータに実現させるためのプログラム。
【請求項１０】
請求項９に記載のプログラムを格納し、コンピュータが読み取り可能なコンピュータ可読媒体。
【手続補正３】
【補正対象書類名】明細書
【補正対象項目名】０００７
【補正方法】変更
【補正の内容】
【０００７】
【課題を解決するための手段】
本発明の目的を達成するために、例えば本発明の電子透かし埋め込み装置は以下の構成を備える。
【手続補正４】
【補正対象書類名】明細書
【補正対象項目名】０００８
【補正方法】変更
【補正の内容】
【０００８】
すなわち、文書画像に対して電子透かしの埋め込みを行う電子透かし埋め込み装置であって、
前記文書画像における各文字の外形を切り出す外形切り出し計算手段と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを、埋め込む電子透かし情報に応じて異ならせるように、夫々の組に含まれる夫々の外形のうち少なくとも１つ以上を制御する制御手段と
を備えることを特徴とする。
本発明の目的を達成するために、例えば本発明の電子透かし抽出装置は以下の構成を備える。
すなわち、文書画像に対して埋め込まれたデータの抽出を行う電子透かし抽出装置であって、
前記文書画像における各文字の外形を切り出す外形切り出し計算手段と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを比較し、夫々のパラメータの大小関係に応じたデータを、前記第１の組と前記第２の組とに埋め込まれたデータとして抽出する抽出手段と
を備えることを特徴とする。
本発明の目的を達成するために、例えば本発明の電子透かし埋め込み方法は以下の構成を備える。
すなわち、文書画像に対して電子透かしの埋め込みを行う電子透かし埋め込み方法であって、
前記文書画像における各文字の外形を切り出す外形切り出し計算工程と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを、埋め込む電子透かし情報に応じて異ならせるように、夫々の組に含まれる夫々の外形のうち少なくとも１つ以上を制御する制御工程と
を備えることを特徴とする。
本発明の目的を達成するために、例えば本発明の電子透かし抽出方法は以下の構成を備える。
すなわち、文書画像に対して埋め込まれたデータの抽出を行う電子透かし抽出方法であって、
前記文書画像における各文字の外形を切り出す外形切り出し計算工程と、
前記文章画像における各外形において、第１の行における第１の外形と、当該第１の行とは異なる第２の行における第２の外形との組である第１の組と、第３の行における第３の外形と、第４の行における第４の外形との組である第２の組とにおいて、前記第１の組の夫々の外形間のパラメータと前記第２の組の夫々の外形間のパラメータとを比較し、夫々のパラメータの大小関係に応じたデータを、前記第１の組と前記第２の組とに埋め込まれたデータとして抽出する抽出工程と
を備えることを特徴とする。
【手続補正５】
【補正対象書類名】明細書
【補正対象項目名】００９６
【補正方法】削除
【補正の内容】
【手続補正６】
【補正対象書類名】明細書
【補正対象項目名】００９７
【補正方法】削除
【補正の内容】
【手続補正７】
【補正対象書類名】明細書
【補正対象項目名】００９８
【補正方法】削除
【補正の内容】
【手続補正８】
【補正対象書類名】明細書
【補正対象項目名】００９９
【補正方法】削除
【補正の内容】
【手続補正９】
【補正対象書類名】明細書
【補正対象項目名】０１００
【補正方法】削除
【補正の内容】
【手続補正１０】
【補正対象書類名】明細書
【補正対象項目名】０１０１
【補正方法】削除
【補正の内容】
【手続補正１１】
【補正対象書類名】明細書
【補正対象項目名】０１０２
【補正方法】削除
【補正の内容】
【手続補正１２】
【補正対象書類名】明細書
【補正対象項目名】０１０３
【補正方法】削除
【補正の内容】
【手続補正１３】
【補正対象書類名】明細書
【補正対象項目名】０１０４
【補正方法】削除
【補正の内容】
【手続補正１４】
【補正対象書類名】明細書
【補正対象項目名】０１０５
【補正方法】削除
【補正の内容】
【手続補正１５】
【補正対象書類名】明細書
【補正対象項目名】０１０６
【補正方法】削除
【補正の内容】
【手続補正１６】
【補正対象書類名】明細書
【補正対象項目名】０１０７
【補正方法】削除
【補正の内容】
【手続補正１７】
【補正対象書類名】明細書
【補正対象項目名】０１０８
【補正方法】削除
【補正の内容】
【手続補正１８】
【補正対象書類名】明細書
【補正対象項目名】０１０９
【補正方法】削除
【補正の内容】